(57)【要約】【課題】  操作ハンドルを収納姿勢にまで回動する作業を、小さな力でもって容易に行い得る作業機の提供。【解決手段】  作業機本体２に操作ハンドル７が作業機本体２より後方に突出した操作姿勢Ａと前方に倒された収納姿勢Ｂとの間を前後に回動自在に取付けられ、鉛直線方向より収納姿勢Ｂ側の後部開放姿勢Ｅにおいて操作ハンドル７がその自重により収納姿勢Ｂ側に回動しないように操作ハンドル７の被係止部５０を係止するストッパ５１，５２が作業機本体２側に設けられ、ストッパ５１，５２は、操作ハンドル７の被係止部５０を係止する係止位置Ｄ１と係止状態を解除する解除位置Ｄ２との間を移動可能に構成され、ストッパ５１，５２を係止位置Ｄ１側に付勢する付勢手段５４を備えている作業機１。【選択図】  図４
2006094796.tif 000002
【特許請求の範囲】
【請求項１】
作業機本体（２）に操作ハンドル（７）が作業機本体（２）より後方に突出した操作姿勢（Ａ）と前方に倒された収納姿勢（Ｂ）との間を前後に回動自在に取付けられている作業機（１）であって、
鉛直線方向より収納姿勢（Ｂ）側の後部開放姿勢（Ｅ）において操作ハンドル（７）がその自重により収納姿勢（Ｂ）側に回動しないように操作ハンドル（７）の被係止部（５０）を係止するストッパ（５１，５２）が作業機本体（２）側に設けられ、該ストッパ（５１，５２）は、操作ハンドル（７）の被係止部（５０）を係止する係止位置（Ｄ１）と係止状態を解除する解除位置（Ｄ２）との間を移動可能に構成され、該ストッパ（５１，５２）を係止位置（Ｄ１）側に付勢する付勢手段（５４）を備えていることを特徴とする作業機（１）。
【請求項２】
作業機本体（２）には、ストッパ（５１，５２）を設けた支軸（２８）が設けられ、該支軸（２８）が軸方向に移動可能とされて該支軸（２８）の移動によりストッパ（５１，５２）は係止位置（Ｄ１）と解除位置（Ｄ２）との間を移動することを特徴とする請求項１記載の作業機（１）。
【請求項３】
支軸（２８）の一端部が作業機本体（２）の外部に露出し、前記付勢手段（５４）は支軸（２８）をその一端部側に付勢し、支軸（２８）の一端部を他端部側に押圧操作することでストッパ（５１，５２）が解除位置（Ｄ２）に移動することを特徴とする請求項２記載の作業機（１）。
【発明の詳細な説明】
【技術分野】
【０００１】
本発明は、例えば芝刈り機などの、操作ハンドルを有する作業機に関する。
【背景技術】
【０００２】
一般に、芝刈り機は、芝刈り機本体の後部に、刈った芝を集める集草かごを着脱自在に取付けている。また、芝刈り機は、芝刈り機本体にその操作用の操作ハンドルを有し、操作ハンドルは芝刈り機本体より後方に突出した操作姿勢と前方に倒された収納姿勢との間を前後に回動可能に構成されている（例えば、引用文献１参照）。
【０００３】
この芝刈り機では、集草かごに芝がたまると、集草かごを芝刈り機本体から取外し、所定の場所に芝を捨てることが行われる。集草かごを芝刈り機本体から取外すとき、操作ハンドルが操作姿勢にあると集草かごの取外し作業の邪魔になるから、操作ハンドルを収納姿勢側に向けて倒して行うようにしている。この芝刈り機では、集草かごを取外す際、操作ハンドルを収納姿勢側に向けて倒すと、操作ハンドルの途中に設けた突起が芝刈り機本体に設けた板状のハンドルステーの上面に係止し、操作ハンドルが収納姿勢までには至らない傾斜をもってその姿勢を保持されるようになり、集草かごの取外しや、再装着の際に操作ハンドルが邪魔にならないようにしている。
【０００４】
【特許文献１】実開平６−７４２０号公報
【発明の開示】
【発明が解決しようとする課題】
【０００５】
ところで、芝刈り機を所定の場所に収納する際はできるだけ小さいスペースで収納できるようにすることが好ましい。このため、操作ハンドルは前方に倒した収納姿勢とする。しかし、上記従来の芝刈り機では、操作ハンドルを収納姿勢とする場合、操作ハンドルの途中に設けた突起をハンドルステーに係止した状態からさらに押し下げる（下方に倒す）必要がある。このようにするためには、ハンドルステーを弾性変形させるだけの大きな力が必要である。さらに、操作ハンドルを収納姿勢まで回動させるには、ハンドルステーを弾性変形させたままでなければならなく、その間は大きな力を操作ハンドルに継続して加えなければならないといった問題がある。係る作業上の問題は、芝刈り機に限らず、他の種々の機械等において使用されているこの種の作業機に共通した問題である。
【０００６】
そこで本発明は、操作ハンドルを収納姿勢まで回動する作業を、小さな力でもって容易に行い得る作業機の提供を課題とする。
【課題を解決するための手段】
【０００７】
本発明の作業機１では、作業機本体２に操作ハンドル７が作業機本体２より後方に突出した操作姿勢Ａと前方に倒された収納姿勢Ｂとの間を前後に回動自在に取付けられ、鉛直線方向より収納姿勢Ｂ側の後部開放姿勢Ｅにおいて操作ハンドル７がその自重により収納姿勢Ｂ側に回動しないように操作ハンドル７の被係止部５０を係止するストッパ５１，５２が作業機本体２側に設けられ、該ストッパ５１，５２は、操作ハンドル７の被係止部５０を係止する係止位置Ｄ１と係止状態を解除する解除位置Ｄ２との間を移動可能に構成され、該ストッパ５１，５２を係止位置Ｄ１側に付勢する付勢手段５４を備えていることを特徴としている。
【０００８】
上記構成において、操作ハンドル７を操作姿勢Ａあるいは後部開放姿勢Ｅから収納姿勢Ｂに向けて回動する際、付勢手段５４の付勢力に抗してストッパ５１，５２を係止位置Ｄ１から解除位置Ｄ２に移動させるだけで、操作ハンドル７の被係止部５０とストッパ５１，５２との係止状態が容易に解除されるから、ストッパ５１，５２を解除位置Ｄ２に移動させた後は、小さい力でもって操作ハンドル７を回動させて容易に収納姿勢Ｂとすることができる。
【０００９】
尚、上記構成として、ストッパ５１，５２を直接操作して係止位置Ｄ１から解除位置Ｄ２に移動させる構成とすることが可能である。さらに、ストッパ５１，５２と連結あるいは連動する、ストッパ５１，５２とは別の操作部材を設け、この操作部材を操作することでストッパ５１，５２を係止位置Ｄ１から解除位置Ｄ２に移動させる構成とすることもできる。何れの場合でも、付勢手段５４の付勢力に抗してストッパ５１，５２を係止位置Ｄ１から解除位置Ｄ２に移動させるだけで、操作ハンドル７の被係止部５０とストッパとの係止状態が容易に解除されるから、小さい力でもって操作ハンドル７を回動して楽に収納姿勢Ｂとすることができる。
【００１０】
本発明の作業機１では、作業機本体２には、ストッパ５１，５２を設けた支軸２８が設けられ、該支軸２８が軸方向に移動可能とされて該支軸２８の移動によりストッパ５１，５２は係止位置Ｄ１と解除位置Ｄ２との間を移動することを特徴としている。
【００１１】
上記構成において、ストッパ５１，５２を支軸２８の軸方向に向けて移動させることで、ストッパ５１，５２は係止位置Ｄ１から解除位置Ｄ２に移動し、操作ハンドル７の被係止部５０とストッパ５１，５２との係止状態が容易に解除されるから、ストッパ５１，５２を解除位置Ｄ２に移動させた後は、小さい力でもって操作ハンドル７を回動して容易に収納姿勢Ｂとすることができる。また、操作ハンドル７の支軸２８にストッパ５１，５２を設けた構成により、ストッパ５１，５２とこれを移動させるための機構をコンパクトにすることが可能となる。
【００１２】
本発明の作業機１では、支軸２８の一端部が作業機本体２の外部に露出し、前記付勢手段５４は支軸２８をその一端部側に付勢し、支軸２８の一端部を他端部側に押圧操作することでストッパ５１，５２が解除位置Ｄ２に移動することを特徴としている。
【００１３】
上記構成において、支軸２８の一端部が作業機本体２の外部に露出していているから、ストッパ５１，５２を係止位置Ｄ１から解除位置Ｄ２に移動させる際、支軸２８の露出部分を押圧操作するといった容易、且つ楽な操作でもって操作ハンドル７を回動させることができる。
【発明の効果】
【００１４】
本発明によれば、ストッパを、操作ハンドルの被係止部を係止する係止位置と係止状態を解除する解除位置との間を移動可能に設けているから、操作ハンドルを倒す作業、特に収納姿勢にするための作業を容易、且つ楽に行うことができる。
【発明を実施するための最良の形態】
【００１５】
以下、本発明の実施形態に係る作業機を、芝刈り機に適用させた場合を例に、図面に基づいて説明する。図１は芝刈り機の一部を省略した正面図、図２は芝刈り機の一部破断平面図、図３は芝刈り機の底面図、図４は要部拡大平面断面図、図５は支軸端部の形状を表した正面断面図、図６および図７は操作ハンドルの位置に応じたストッパと被係止部との関係を示す拡大正面断面図、図８は支軸端部の形状と止め輪を表した正面断面図である。
【００１６】
図１および図２に示すように、芝刈り機１は芝刈り機本体２を有し、この芝刈り機本体２はニ分割された下側本体部３と上側本体部４とを止めねじ５によって固定することで組付けられている。芝刈り機１は、それを操作する際に用いる操作ハンドル７を有する。操作ハンドル７は、芝刈り機本体２より後方に突出した操作姿勢Ａと、前方に倒されて芝刈り機本体２の前後方向に沿った収納姿勢Ｂとの間で切替え自在とされている。芝刈り機本体２の後部に設けたフック６に、刈った芝が投入される集草かご９が着脱自在に設けられている。芝刈り機本体２の前部にあって、幅方向の両側（図２中、上、下）には、芝刈り機１の刈り幅を示すための案内板８０が、一対で設けられている。この一対の案内板８０の間隔Ｌは、図３に示す回転刃１７の幅方向と略同寸法に設定されている。この案内板８０により、回転刃１７の幅およびその端部が容易に確認できるので、刈り残しなしの刈取り作業が可能となる。
【００１７】
下側本体部３の前部に、車輪１０が支軸１１回りに回転自在に設けられ、図３に示すように、車輪１０を支軸１１回りに回転自在に支軸する支持部１２が設けられている。下側本体部３の後部にローラ１３が支軸１４回りに回転自在に設けられ、ローラ１３を支軸１４回りに回転自在に支軸する支持部１５が設けられている。芝刈り機本体２（下側本体部３）の、車輪１０とローラ１３との間に、固定刃１６と回転刃１７とが配設されている。回転刃１７は、その支軸２０回りに回転可能に構成され、図２に示すように、回転刃１７を支軸２０回りに回転させるための駆動部２１が、芝刈り機本体２に搭載されている。固定刃１６および回転刃１７は、何れも別の支持部１８，１９を介して交換可能に芝刈り機本体２に取付けられている。
【００１８】
前記操作ハンドル７は全体形状としてＵ字形に形成され、その基端部２４，２５は、それぞれ下側本体部３の後方上面に、それぞれ別の支軸２８，２９を介して、回動自在に支持されている。支軸２８，２９は別部材であるが、同一軸線上に配置されている。
【００１９】
図２、図４に示すように、下側本体部３の上部で、且つ幅方向一方側の後部に、幅方向内方に向けてくぼむ凹部３０（円柱状の空間）を有する突出部２７が設けられている。一方の支軸２８は、突出部２７の底板部３１に形成された挿通孔３２から挿入され、支軸２８の先端部２６側は、芝刈り機本体２内に組付けられた第一支持箱３５に挿入されている。この第一支持箱３５は、上部の箱形成部３６と、下部の箱形成部３７とを上下方向で合わせて、複数の止めねじ３８によって互いに固定されて成り、第一支持箱３５の側部に、支軸２８を挿入するための開口４０が形成されている。第一支持箱３５に、支軸２８の先端部２６を軸方向（芝刈り機本体２の幅方向）に移動自在に挿通支持する支持部材４５が、第一支持箱３５内壁に形成されたリブ３５ａを介して内装固定されている。支軸２８は円柱状に形成されているが、その先端部２６は図５に示すように、Ｃカット断面状に形成された平面部４６を有する。このように、支持部材４５は第一支持箱３５に固定され、支軸２８の先端部２６は平面部４６を有して支持部材４５内に挿入されているから、支軸２８はその軸心２８ａ回りに非回転となっている。
【００２０】
さらに、図４、図６、図７に示すように、操作ハンドル７の一方の基端部２４は、支軸２８に姿勢切替え装置４８を介して回動自在とされている。この姿勢切替え装置４８は、支軸２８の途中に外装された被係止部５０と、支軸２８の途中に径方向外方に向けて一体に突出形成された円柱状のストッパ５１，５２と、前記凹部３０から突出する支軸２８の突出部２８ｂに組付けられて支軸２８をその先端部２６側に向けて押圧するための操作体５３と、前記底板部３１と操作体５３との間に配置されて、支軸２８を軸方向一方（芝刈り機本体２の幅方向外方）側に向けて付勢する付勢手段としてのコイルばね５４とを有する。
【００２１】
前記被係止部５０は、軸方向一方側の大径筒状部５５Ａと、大径筒状部５５Ａの径方向内方に形成された小径筒状部５５Ｂと、軸方向他方側の被係止突部５６，５７とから一体に形成されている。操作ハンドル７の基端部２４は、被係止部５０の大径筒状部５５Ａに固定され、小径筒状部５５Ｂおよび被係止突部５６，５７は、支軸２８の途中に遊嵌されている。
【００２２】
図６、図７に示すように、被係止突部５６，５７は、互いに周方向に１８０°離間するよう一対で設けられ、図４に示すように、被係止突部５６，５７は、第一支持箱３５の開口４０に挿入される位置に配置されている。被係止突部５６，５７はそれぞれ径方向外方側の周長が、径方向内方側の周長に比べて長く設定されることで、それぞれ正面視扇状に形成されている。したがって被係止突部５６，５７間には、所定の周長を有する隙間５８，５９が設けられている。これら被係止突部５６，５７における支軸２８の径方向に沿う側面は被係止面６０，６１として用いられる。ストッパ５１，５２は、支軸２８の軸方向途中（ほぼ軸方向長さ中心位置）に、周方向に１８０°離間して配置されている。より具体的には、支軸２８の軸心２８ａ上に垂直に明けられた貫通孔に圧入され固定された一本の円柱状のピンによりなり、支軸２８を貫通突出している部分がストッパ５１，５２である。
【００２３】
図４に示すように、操作体５３は、正面視して円形に形成された操作部６３と、この操作部６３の中心に一体に形成されて支軸２８の突出部２８ｂに外嵌固定される固定部６４とを有している。操作部６３は凹部３０に比べてわずかに小径に形成されることで、凹部３０に対して出退可能となっており、操作部６３を支軸２８の軸方向他方側に押圧する力を付与しなければ、操作体５３は凹部３０から突出することで、芝刈り機本体２から露出した状態にある。支軸２８の途中に、前記第一支持箱３５内壁に形成された軸方向外方側にあるリブ３５ｂにその側面から当接することで、凹部３０から突出する操作部６３の突出量を決定するとともに、支軸２８の抜止めをするための止め輪６５が嵌着されている。
【００２４】
図２に示すように、操作ハンドル７の他方側の基端部２５を支持する支軸２９（円柱状に形成されている）は、芝刈り機本体２内に固定された第二支持箱６６に非回転に内装され、支軸２９の一部は、第二支持箱６６から軸方向外方に突出し、操作ハンドル７の他方側の基端部２５は、支軸２９の突出部分２９ａに回動自在に外嵌されている。なお、第二支持箱６６は、下部の箱形成部７０と上部の箱形成部７１とを上下方向で合わせて、複数の止めねじ７２によって互いに固定されて成る。なお、第二支持箱６６にも第一支持箱３５と同様に、支軸２９を幅方向に沿うよう保持するためのリブ（符号は省略する）が形成されている。
【００２５】
上記構成において、芝刈り機１を操作（使用）して芝を刈る際は、操作ハンドル７を操作姿勢Ａとして、操作ハンドル７を押すことで芝刈り機１を走行させる。そして、駆動部２１を駆動させることで回転刃１７が回転し、回転刃１７と固定刃１６との間で芝が刈られ、刈られた芝は集草かご９に順次投入される。
【００２６】
ところで支軸２８は、コイルばね５４の弾性力により軸方向一方側に常時付勢されているから、支軸２８は、止め輪６５がリブ３５ｂに当接する位置まで軸方向一方側に移動しており、したがってストッパ５１，５２は支軸２８とともに軸方向一方側に移動した係止位置Ｄ１にある。係止位置Ｄ１では、ストッパ５１，５２が被係止突部５６，５７の間の隙間５８，５９に入っている。したがって、隙間５８，５９のそれぞれの幅は、所定の周長として、ストッパ５１，５２が入るだけの長さが必要である。さらに、ストッパ５１，５２の係止位置Ｄ１では、操作部６３は凹部３０から突出した状態にある。なお、ストッパ５１，５２が係止位置Ｄ１にあっても、操作ハンドル７の操作姿勢Ａでは、ストッパ５１，５２と被係止突部５６，５７とは周方向で係止しない位置関係にあって、操作ハンドル７と芝刈り機本体２とは、ストッパ５１，５２に被係止突部５６，５７が係止（当接）する範囲で後部開放姿勢Ｅの位置まで支軸２８，２９回りに相対的に回動可能としている。このようにすることによって、芝面に起伏があっても、芝刈り機本体２がその起伏に倣うようにすることができる。なお、図１に示すように操作ハンドル７の操作姿勢Ａでの反後部開放姿勢Ｅ側（図１中、時計回り方向側）の回動規制は、操作ハンドル７の基端部２４が芝刈り機本体２に設けられた当接部２ｂに当接することでなされる。
【００２７】
ところで、芝刈り作業がすすみ、集草かご９に芝がたまると、集草かご９をフック６から取外し、芝を所定の場所に廃棄することになる。集草かご９をフック６から取外すとき、操作ハンドル７を操作姿勢Ａにしたままでは、集草かご９の取外し作業の邪魔になる。そこで、操作ハンドル７を押して支軸２８，２９回りに回動させることで、操作ハンドル７を鉛直線方向よりやや前方に倒して、芝刈り機本体２の後部を開放した後部開放姿勢Ｅとする。そうすると、ストッパ５１，５２は係止位置Ｄ１にあって、ストッパ５１，５２の外周面と被係止突部５６，５７の被係止面６０，６１とが周方向でそれぞれ係止するから、操作ハンドル７は、それ以上前方に倒れない状態が保持されることになり、集草かご９をフック６から取外す作業がし易くなる。また、ストッパ５１と被係止面６０、ストッパ５２と被係止面６１が対で係止することで、操作ハンドル７が後部開放姿勢Ｅからさらに前方に回動してしまうのを、より効果的に防止することができる。
【００２８】
芝刈り作業が終了し、芝刈り機１を所定の場所に収納する場合、操作ハンドル７を収納姿勢Ｂとすることで、収納に必要なスペースを小さくてすむようにする。しかし、ストッパ５１，５２と被係止突部５６，５７とは、操作ハンドル７が後部開放姿勢Ｅまで倒れると互いに係止して、操作ハンドル７はそれ以上前方に倒れないことは上記した通りである。そこで使用者は、姿勢切替え装置４８を操作することで操作ハンドル７を収納姿勢Ｂとする。すなわち、コイルばね５４の弾性に抗して凹部３０から突出している操作体５３を軸方向他方側へ押圧する。そうすると、操作体５３の移動に伴って支軸２８が同方向へ移動し、支軸２８の移動とともにストッパ５１，５２も同方向へ移動する。そうすると、ストッパ５１，５２が、被係止突部５６，５７に周方向で係止する係止位置Ｄ１から、ストッパ５１，５２が被係止突部５６，５７に対し軸方向他方側に外れた解除位置Ｄ２に移動する（図４に仮想線で示す）。したがって、被係止突部５６，５７の支軸２８回りの回動動作を邪魔するものがなくなり、操作ハンドル７をさらに前方に向けて倒すことが可能となって、操作ハンドル７を収納姿勢Ｂとすることができる。操作ハンドル７が収納姿勢Ｂとなった状態で、操作体５３の押圧を解除すると、支軸２８とともにストッパ５１，５２は、常時コイルばね５４の弾性力により軸方向一方側に付勢されているので、ストッパ５１，５２は被係止突部５６，５７の端面５６ａ，５７ａに当接し、その当接力（コイルばね５４の弾性力）でもって、さらなる軸方向一方側への移動が規制されている。このストッパ５１，５２が、端面５６ａ，５７ａに当接した位置が係止位置Ｄ３である。このように、操作ハンドル７を後部開放姿勢Ｅに確実に保持しながら、しかも容易に収納姿勢Ｂとすることが可能である。
【００２９】
なお、図１および図２に示すように、操作ハンドル７を収納姿勢Ｂとするとき、芝刈り機本体２の上部両側に設けられた突起２ａを操作ハンドル７の基端部２４，２５（楕円形断面に形成されている）が乗り越えることで、操作ハンドル７が上方に回動してしまうのを防止することができる。さらに、他の実施形態として図９に示す構成が考えられる。図９は操作ハンドル７の収納姿勢Ｂにおける被係止突部５６，５７とストッパ５１，５２との関係を表す拡大図で、図７においてＦ方向、すなわち下方から矢視した図である。なお、図９では被係止突部５６，５７の双方を実線で示している。この図９に示す実施形態では、操作ハンドル７を収納姿勢Ｂで確実に保持させるために、ストッパ５１，５２が当接する被係止突部５６，５７の端面５６ａ，５７ａに、ストッパ５１，５２それぞれが係合可能な断面円弧状の凹溝５６ｂ，５７ｂを支軸２８の軸心２８ａに向かって形成し、操作ハンドル７が収納姿勢Ｂにある場合、前記凹溝５６ｂ，５７ｂにストッパ５１，５２を係合させるようにしている。この構成により、より確実に収納姿勢Ｂでの操作ハンドル７の保持が可能となり、収納姿勢Ｂで操作ハンドル７を持っての作業機の移動をより安心して行えるようになる。操作ハンドル７を操作姿勢Ａにする場合には、コイルばね５４の弾性力に抗してストッパ５１，５２が凹溝５６ｂ，５７ｂから抜け出るだけの力を操作ハンドル７に加えればよい。
【００３０】
このように使用者は、単にコイルばね５４の弾性に抗して操作体５３を軸方向他方側へ押圧するといった簡単且つ小さな力でもって、ストッパ５１，５２を係止位置Ｄ１から解除位置Ｄ２に移動させ、操作ハンドル７を、操作姿勢Ａあるいは後部開放姿勢Ｅから容易に収納姿勢Ｂとすることができる。なお、芝刈り機１を所定の場所に収納する際に、芝刈り機本体２を起こした状態で収納するのであれば、集草かご９はフック６から取外した状態として、別に保管する。
【００３１】
再び芝刈り機１を使用する際は、操作ハンドル７は収納姿勢Ｂにあるから、これを操作姿勢Ａとする必要がある。この場合、ストッパ５１，５２は、コイルばね５４の弾性によって係止位置Ｄ３にあり、操作ハンドル７を支軸２８，２９回りに鉛直線方向に起こすと、ほぼ後部開放姿勢Ｅでストッパ５１，５２と被係止突部５６，５７とが周方向でそれぞれ係止する。したがって、操作ハンドル７は、再び収納姿勢Ｂに回動することができなくなる。そこで、操作ハンドル７をさらに後方に向けて起こすと、操作ハンドル７を操作姿勢Ａとすることができる。なお、集草かご９をフック６から取外しているのであれば、操作ハンドル７を後部開放姿勢Ｅとすれば、集草かご９をフック６に容易に取付けることができる。
【００３２】
なお、上記実施形態では、ストッパ５１と被係止面６０、ストッパ５２と被係止面６１が対で係止するようにしたが、ストッパの個数、被係止突部（被係止面）の個数は上記実施形態に限定されるものではなく、操作ハンドル７の回動動作を確実に防止できればよい。しかもこのように構成することで、操作ハンドル７の後部開放姿勢Ｅにおける傾斜角度を任意に設定することも可能になる。さらに、上記実施形態ではストッパ５１，５２、被係止突部５６，５７はそれぞれ１８０°置きに等配としたが、不等配な角度で配置することも可能で、この場合も操作ハンドル７の後部開放姿勢Ｅにおける傾斜角度を任意に設定することも可能になる。
【図面の簡単な説明】
【００３３】
【図１】本発明の実施形態を示す芝刈り機の一部省略正面図。
【図２】同じく芝刈り機の一部破断平面図。
【図３】同じく芝刈り機の底面図。
【図４】同じく要部拡大平面断面図。
【図５】同じく支軸端部の形状を表した正面断面図。
【図６】同じく操作ハンドルの位置に応じたストッパと被係止部との関係を示す拡大正面断面図。
【図７】同じく操作ハンドルの位置に応じたストッパと被係止部との関係を示す拡大正面断面図。
【図８】同じく支軸端部の形状と止め輪を表した正面断面図。
【図９】他の実施形態を示す操作ハンドルの収納姿勢における被係止突部とストッパとの関係を表す拡大図。
【符号の説明】
【００３４】
１…芝刈り機、２…芝刈り機本体、７…操作ハンドル、９…集草かご、１６…固定刃、１７…回転刃、２８…支軸、３０…凹部、４８…姿勢切替え装置、５１，５２…ストッパ、５３…操作体、５４…コイルばね、５６，５７…被係止突部、６３…操作部、Ａ…操作姿勢、Ｂ…収納姿勢、Ｄ１…係止位置、Ｄ２…解除位置、Ｅ…後部開放姿勢
【図１】
2006094796.tif 000003
【図２】
2006094796.tif 000004
【図３】
2006094796.tif 000005
【図４】
2006094796.tif 000006
【図５】
2006094796.tif 000007
【図６】
2006094796.tif 000008
【図７】
2006094796.tif 000009
【図８】
2006094796.tif 000010
【図９】
2006094796.tif 000011
【手続補正書】
【提出日】平成16年10月8日(2004.10.8)
【手続補正１】
【補正対象書類名】明細書
【補正対象項目名】００２９
【補正方法】変更
【補正の内容】
【００２９】
なお、図１および図２に示すように、操作ハンドル７を収納姿勢Ｂとするとき、芝刈り機本体２の上部両側に設けられた突起２ａを操作ハンドル７の基端部２４，２５（楕円形断面に形成されている）が乗り越えることで、操作ハンドル７が上方に回動してしまうのを防止することができる。さらに、他の実施形態として図９に示す構成が考えられる。図９は操作ハンドル７の収納姿勢Ｂにおける被係止突部５６，５７とストッパ５１，５２との関係を表す拡大図で、図７において下方から矢視した図である。なお、図９では被係止突部５６，５７の双方を実線で示している。この図９に示す実施形態では、操作ハンドル７を収納姿勢Ｂで確実に保持させるために、ストッパ５１，５２が当接する被係止突部５６，５７の端面５６ａ，５７ａに、ストッパ５１，５２それぞれが係合可能な断面円弧状の凹溝５６ｂ，５７ｂを支軸２８の軸心２８ａに向かって形成し、操作ハンドル７が収納姿勢Ｂにある場合、前記凹溝５６ｂ，５７ｂにストッパ５１，５２を係合させるようにしている。この構成により、より確実に収納姿勢Ｂでの操作ハンドル７の保持が可能となり、収納姿勢Ｂで操作ハンドル７を持っての作業機の移動をより安心して行えるようになる。操作ハンドル７を操作姿勢Ａにする場合には、コイルばね５４の弾性力に抗してストッパ５１，５２が凹溝５６ｂ，５７ｂから抜け出るだけの力を操作ハンドル７に加えればよい。